(57)【要約】本発明は、接合サポートの領域上または該領域内に二次元で前後左右に配置されているトランスポンダー用の超高周波テスト素子に関する。そのテスト素子は、少なくとも１つの超高周波アンテナ素子（３）を用いて超高周波機能と他のトランスポンダー（２）データとをチェックするために使用される。アンテナ素子（３）は、シールド筐体（４）内に配置されており、そのシールド筐体は、超高周波にシールドするような態様で作用し、チェックされる選択されたトランスポンダー（２）に面する開口部（５）が提供されている。開口部（５）は、トランスポンダー（２）の底表面領域に適合した領域を有する。
2008502894.tif 000002
【特許請求の範囲】
【請求項１】
共通サポートの表面上または該表面内に蜘蛛の巣状に前後左右に配置されているトランスポンダー用の超高周波テスト素子であって、該超高周波テスト素子は、少なくとも１つの超高周波アンテナ素子（３）を用いて該トランスポンダー（２）の超高周波機能とさらなるデータとをチェックし、該アンテナ素子（３）が、シールド筐体（４）であって、超高周波シールド効果を有し、チェックされる選択されたトランスポンダー（２）に面する開口部（５）を有する、シールド筐体（４）の内部に配置されていることを特徴とし、該開口部（５）が、該トランスポンダー（２）の底表面領域に適合した表面領域を有する、テスト素子。
【請求項２】
前記アンテナ素子（３）を備えた前記シールド筐体（４）が、前記サポート（１）の表面に平行な面内において調整素子を用いて変位され得ることを特徴とする、請求項１に記載のテスト素子。
【請求項３】
少なくとも１つのシールドプレート（８）が、前記アンテナ素子（３）と離れて面している前記サポート（１）の一面の上に配置され得、該シールドプレートが前記トランスポンダーに実質的に平行に延びていることを特徴とする、請求項１または２に記載のテスト素子。
【請求項４】
前記シールドプレートが、ＵＨＦ波を吸収するように設計されている、請求項３に記載のテスト素子。
【請求項５】
前記アンテナ素子（３）が、チェックされる前記トランスポンダー（２ａ）と測定距離だけ離れており、該測定距離は、該アンテナ素子（３）の超高周波実効範囲と近い範囲であることを特徴とする、請求項１〜４のいずれか一項に記載のテスト素子。
【請求項６】
前記アンテナ素子（３）に接続された評価素子であって、測定された機能データおよび場合によっては更なるデータを評価する、評価素子によって特徴付けられる、請求項１〜５のいずれか一項に記載のテスト素子。
【請求項７】
前記調整素子を用いて、前記サポート上に配置されている前記選択されたトランスポンダー（２）を連続性の時間最適化された作動で作動するための制御装置によって特徴付けられる、請求項２〜６のいずれか一項に記載のテスト素子。
【発明の詳細な説明】
【技術分野】
【０００１】
本発明は、請求項１の前提部分に記載の、共通サポート表面上にまたはその表面内に蜘蛛の巣状に前後左右に配置されたトランスポンダー用の超高周波テスト素子であって、少なくとも一つの超高周波アンテナ素子を用いて、トランスポンダーの超高周波機能と更なるデータをチェックするテスト素子に関する。
【背景技術】
【０００２】
ＲＦ−ＩＤ（ｒａｄｉｏｆｒｅｑｕｅｎｃｙ  ｉｄｅｎｔｉｆｉｃａｔｉｏｎ）ベースの超高周波（ＵＨＦ）領域で動作するトランスポンダーはしばしば蜘蛛の巣状で大量生産されている。そこにおいては、そのような蜘蛛の巣は共通の平坦なサポートの上に前後左右に配置された多くのトランスポンダーを含む。そのようなトランスポンダーはしばしば超高周波領域およびより高い周波数領域の両方で動作する。
【０００３】
このように配置された、そのようなトランスポンダーの機能を製造工程においてチェックするために、アンテナ素子は通常トランスポンダーから測定距離だけ共通サポートの下に位置している。この測定距離はアンテナ素子の超高周波領域からはるかに離れている。アンテナ素子は拡張された測定領域内に位置しているすべてのＵＨＦトランスポンダーを測定し、該トランスポンダーを作動させ、測定結果を記録する。このようにして、干渉の影響や参照する個々のトランスポンダーに関係する参照情報の不足による間違った測定結果の原因特定が難しい場合、サポート上に配置された特別なトランスポンダーのためとすることができる。
【発明の開示】
【発明が解決しようとする課題】
【０００４】
従って本発明の目的は、個々の選択されたトランスポンダーの機能に狙いをつけたチェックをし、測定された間違ったデータを複数のトランスポンダーの中の特定のトランスポンダーのせいにすることができるトランスポンダー用超高周波テスト素子を提供することである。
【課題を解決するための手段】
【０００５】
この目的は請求項１の特徴に従って達成することができる。
【０００６】
本発明のひとつの重要な点は、共通サポートの表面上またはその表面内に蜘蛛の巣状に前後左右に配置されているトランスポンダー用の超高周波テスト素子であって、トランスポンダーの超高周波機能や更なるデータを少なくともひとつの超高周波アンテナ素子を用いてチェックする超高周波テスト素子において、アンテナ素子がシールド筐体の中に配置されていることである。シールド筐体は超高周波をシールドする効果があり、チェックする選択されたトランスポンダーに面した開口部を有す。開口部はトランスポンダーの底表面領域に適合する表面領域を有す。シールド筐体のシールド効果により、狙いとするアンテナ素子の狭く制限された測定領域が得られる。アンテナ部品は狙いをつける格好で、開口部を経由して、選択されたトランスポンダーに向けることができる。選択されたトランスポンダーを取り巻くその他のトランスポンダーはアンテナ素子の測定領域により影響されないでいる。そしてこのようにして、開口部表面領域が、選択されたトランスポンダーの底表面領域に適合しているという事実により、アンテナ素子には影響を受けない。
【０００７】
シールド筐体の配置と平坦なサポートの下側方向への開口部（それは例えばその上に配置されている）の向きに拘わらず、測定領域の望まない分散と、開口部とサポートの下側との間の長い測定距離による他のトランスポンダーの動作とを得ないために、アンテナ素子は、好適にはその超高周波実効領域に近い領域で、サポートの下側から間隔がとられていることが好ましい。
【０００８】
一好適な実施形態によると、少なくとも１つのシールドプレートが、アンテナ素子から離れて面しているサポートの一面上に配置され得る。すなわち、アンテナ素子は、例えば、サポートの上方において、サポートと予め決定可能な距離だけ離れているか、そのような距離はないかである。シールドプレートは、好適には、関連トランスポンダーを含んでいるサポート領域であって、サポート領域に沿って延びている。そのサポート領域において、現在テストされているトランスポンダーが、トランスポンダーの下方に配置されているアンテナ素子を用いて測定されている。そのようなシールドプレートは、好適には、ＵＨＦ波を吸収するように、換言すると、シールドプレートにおいて反射された超高周波に減衰効果を有するように設計されている。その結果として、チェック対象のトランスポンダーの周囲に配置されている別のトランスポンダーのさらなる有効シールドが提供される。シールドプレートに適切な材料は、炭素含有物質である。
【０００９】
本発明のさらなる発展によると、欠陥分析が単純な態様で（例えば、自動的に）実行され得るように、テスト素子は、測定された機能データと場合によってはさらなるデータとを評価するための、アンテナ素子に接続されている評価素子を有する。
【００１０】
アンテナ素子が内部に配置されているシールド筐体は、サポートの表面に平行な平面において、調整素子を用いて変位され得る。そのような調整素子は、好適には、ｘ方向およびｙ方向へのシールド筐体の変位を可能にし、また、個々の選択されたトランスポンダーを連続性の時間最適化された作動で作動するための制御装置によって作動される。
【００１１】
さらなる有利な実施形態は、従属請求項から明らかになる。
【００１２】
利点および好都合な特徴は、添付の図面と共に以下の記載において見出され得る。
【発明を実施するための最良の形態】
【００１３】
図に示された実施形態によれば、複数のトランスポンダー２と２ａは共通のシート状または帯状のサポート１上に前後左右に並んで配置されている。
【００１４】
シールド筐体４を有する超高周波アンテナ部品３は、平坦なサポート１の下に配置されている。超高周波をシールドするように設計されたシールド筐体４は、上面上の開口部５がサポート１の下面に面するようにアンテナ部品３を取り囲んでいる。開口部５は、選択されたトランスポンダー２ａに対するアンテナ部品３の測定領域に対し、選択されたトランスポンダー２ａに隣接したトランスポンダーに影響を及ぼさずに、狙った方向を可能にする。
【００１５】
シールド筺体４はサポート表面に平行な平面内で、矢印６と７で示すようにｘ方向とｙ方向に変位させることができる。このようにして、個々の選択されたトランスポンダーの狙った動作は、前のトランスポンダーの機能チェックが終了した後に行われ得る。
【００１６】
好都合なことに、そのような超高周波テスト素子はサポート１の上表面の上にシールドプレート８を有している。そのシールドプレートは、例えばサポート平面の一部またはすべてに平行に広がり得る。代替案あるいは追加として、シールド部品は個々の選択されたトランスポンダー２ａを直角、あるいはリング型に取り囲み得る。トランスポンダー２ａの追加シールドはそれを取り巻く他のトランスポンダーから選択したトランスポンダー２ａの測定あるいは位相チェックの際にチェックすることが可能である。シールドプレート８はＵＨＦ波を吸収する。
【００１７】
本出願書類で開示されたすべての特徴は、従来技術に対して、個々に、または組み合わせたものが新規なものである限りにおいて、本発明として請求する。
【図面の簡単な説明】
【００１８】
【図１】本発明の一実施形態による超高周波テスト素子の概略図を示す。
【符号の説明】
【００１９】
１        サポート
２，２ａ  トランスポンダー
３        アンテナ素子
４        シールド筐体
５        シールド筐体の開口部
６、７    変位方向
８        シールドプレート
2008502894.tif 000003
【国際調査報告】
2008502894.tif 000004
2008502894.tif 000005
2008502894.tif 000006
2008502894.tif 000007
2008502894.tif 000008
2008502894.tif 000009